(57)【要約】【課題】停電時において住宅内の必要最低限の電気機器（負荷）を動作させるための電力量を供給可能であり、且つ、安価で一般に広く普及可能な非常用電源装置を得ること。【解決手段】一般に広く普及している三相インバータモジュール３を用いてインバータ２００と昇降圧ＤＣ／ＤＣコンバータ３００とを構成し、通常時においては、系統電源１から供給される交流電力をインバータ２００により直流電力に変換し、この直流電力を昇降圧ＤＣ／ＤＣコンバータ３００により降圧して蓄電池５に供給して蓄電池５を充電し、また、系統電源１の停電時等の非常時においては、蓄電池５が放電することによって蓄電池５から供給される直流電力を昇降圧ＤＣ／ＤＣコンバータ３００により昇圧し、この直流電力をインバータ２００により交流電力に変換して、住宅内の必要最低限の電気機器（負荷）を動作させるために必要な電力を供給する構成とした。【選択図】図１
2015027135.tif 000002
【特許請求の範囲】
【請求項１】
通常時には系統電源から供給される電力により蓄電池を充電し、前記系統電源の停電時には前記蓄電池を放電して負荷に電力を供給する非常用電源装置であって、
逆並列接続されたダイオードを有する２つのスイッチング素子が直列接続された第１乃至第３のスイッチングアームと、
前記三相インバータモジュールの正極と負極との間に並列接続された第１のコンデンサと、
前記第３のスイッチングアームの前記スイッチング素子の接続点と前記蓄電池の正極との間に接続されるリアクタと、
前記蓄電池の正極と負極との間に並列接続される第２のコンデンサと、
前記各スイッチング素子を駆動制御する制御部と、
を備え、
前記第１乃至第３のスイッチングアームは、当該第１乃至第３のスイッチングアームが並列接続され形成された三相インバータモジュールであることを特徴とする非常用電源装置。
【請求項２】
前記制御部は、通常時には前記第３のスイッチングアームの上側のスイッチング素子をオンオフ制御すると共に、当該スイッチング素子以外のスイッチング素子をオフ制御し、停電時には前記第３のスイッチングアームの上側のスイッチング素子をオフ制御すると共に、当該スイッチング素子以外のスイッチング素子をオンオフ制御することを特徴とする請求項１に記載の非常用電源装置。
【請求項３】
前記系統電源と接続する第１の端子部と、
前記負荷に電力を供給する第２の端子部と、
を備えることを特徴とする請求項１または２に記載の非常用電源装置。
【請求項４】
前記蓄電池が出力可能な電力量を超えた場合に、前記負荷への電力供給を停止することを特徴とする請求項１〜３の何れか一項に記載の非常用電源装置。
【請求項５】
前記蓄電池は、前記制御部を含む制御操作手段に電力を供給することを特徴とする請求項１〜４の何れか一項に記載の非常用電源装置。
【請求項６】
前記制御操作手段に電力を供給可能な制御電力供給部を備えることを特徴とする請求項１〜５の何れか一項に記載の非常用電源装置。
【請求項７】
前記蓄電池からの電力と前記制御電力供給部からの電力とを切り替える切り替えスイッチを備えることを特徴とする請求項６に記載の非常用電源装置。
【請求項８】
前記蓄電池の容量は、２０Ａｈ以下であることを特徴とする請求項１〜７の何れか一項に記載の非常用電源装置。
【請求項９】
前記蓄電池の出力は、２ｋＷｈ以下であることを特徴とする請求項１〜８の何れか一項に記載の非常用電源装置。
【発明の詳細な説明】
【技術分野】
【０００１】
本発明は、停電時に電力を供給する非常用電源装置に関する。
【背景技術】
【０００２】
近年普及が進んでいる電気自動車（ＥＶ：Ｅｌｅｃｔｒｉｃ  Ｖｅｈｉｃｌｅ）やプラグインハイブリットカー（ＰＨＥＶ：Ｐｌｕｇ-ｉｎ  Ｈｙｂｒｉｄ  Ｅｌｅｃｔｒｉｃ  Ｖｅｈｉｃｌｅ）は、搭載しているバッテリー（二次電池）に充放電接続装置のプラグをコンセントに接続し、制御装置を制御操作することで二次電池に対しての充放電が行え、二次電池に電力が余っているときは、電力を家庭内で消費される交流負荷や直流負荷に放電させて利用することが示されている（例えば、特許文献１）。また、ＥＶやＰＨＥＶを利用した技術として、商用電源が停電となるなどの非常時には蓄電装置を放電させて負荷（家庭内の機器）に電力を供給する技術が検討されている（例えば、特許文献２）。
【０００３】
また、電動アシスト自転車に搭載されている車載充電器を適宜外してバッテリー部単体で利用することもでき、またどこででも電源のコンセントに接続することができ、電動アシスト自転車に搭載されるバッテリー部を充電し、電力を回復できる電器について示されている（例えば、特許文献３）。さらに、太陽光発電システムを導入する家庭も増加してきており、商用電源から供給された電力および太陽光発電により得られた電力で蓄電装置を充電する動作と蓄電装置から放電される直流電力を交流電力に変換して負荷へ供給する動作が可能な電力変換装置が示されている（例えば、特許文献４）。さらにまた、太陽電池に対する最大電力追従制御を行いながら、太陽光発電による給電系と商用電源間の並列運転と太陽光発電による蓄電装置の充電とを同時に行うことが可能な太陽光発電システムが示されている（例えば、特許文献５）。
【先行技術文献】
【特許文献】
【０００４】
【特許文献１】特開２０１１−２０００１２号公報
【特許文献２】特開２００８−３１２３９５号公報
【特許文献３】特開２０００−３３８９３号公報
【特許文献４】特開平６−１１３４８２号公報
【特許文献５】特開平１０−３１５２５号公報
【発明の概要】
【発明が解決しようとする課題】
【０００５】
今後、ＥＶやＰＨＥＶの普及が益々進み、車種が増加していくと考えられるが、ＥＶやＰＨＥＶは高価な車両であるため、災害などの非常時の停電対策のために導入することは考え難い。また、太陽光発電システムの普及が進んでいるが、太陽光発電では、夜間や曇天、雨天時には発電量がなくなり、晴天時は発電量が大きくなる等変動が大きく、ＥＶやＰＨＥＶに搭載された大型の蓄電池と併設することで、非常時におけるメリットが大きくなるが、システムが複雑化し高コストとなるので、非常時の停電対策のためにこのようなシステムを導入することは考え難い。
【０００６】
一方、非常時に損傷を受けたインフラの復旧としては、電力系統の復旧が最も早く、早ければ数時間、遅くとも３日から一週間程度で復旧される場合が多い。このため、非常時に対応する非常用電源装置としては、少なくとも数日間、住宅内の必要最低限の電気機器（負荷）を動作させるための電力量を供給可能であり、且つ、安価で一般に広く普及可能な非常用電源装置が望まれている。
【０００７】
本発明は、上記に鑑みてなされたものであって、停電時において住宅内の必要最低限の電気機器（負荷）を動作させるための電力量を供給可能であり、且つ、安価で一般に広く普及可能な非常用電源装置を提供することを目的とする。
【課題を解決するための手段】
【０００８】
上述した課題を解決し、目的を達成するため、本発明にかかる非常用電源装置は、通常時には系統電源から供給される電力により蓄電池を充電し、前記系統電源の停電時には前記蓄電池を放電して負荷に電力を供給する非常用電源装置であって、逆並列接続されたダイオードを有する２つのスイッチング素子が直列接続された第１乃至第３のスイッチングアームと、前記三相インバータモジュールの正極と負極との間に並列接続された第１のコンデンサと、前記第３のスイッチングアームの前記スイッチング素子の接続点と前記蓄電池の正極との間に接続されるリアクタと、前記蓄電池の正極と負極との間に並列接続される第２のコンデンサと、前記各スイッチング素子を駆動制御する制御部と、を備え、前記第１乃至第３のスイッチングアームは、当該第１乃至第３のスイッチングアームが並列接続され形成された三相インバータモジュールであることを特徴とする。
【発明の効果】
【０００９】
本発明によれば、停電時において住宅内の必要最低限の電気機器（負荷）を動作させるための電力量を供給可能であり、且つ、安価で一般に広く普及可能な非常用電源装置を得ることができる、という効果を奏する。
【図面の簡単な説明】
【００１０】
【図１】図１は、実施の形態１にかかる非常用電源装置の一構成例を示す図である。
【図２】図２は、実施の形態２にかかる非常用電源装置の具体的な概略構成の一例を示す図である。
【図３】図３は、電動アシスト自転車を自家発電機として使用して実施の形態２にかかる非常用電源装置に電力を供給する例を示す図である。
【発明を実施するための形態】
【００１１】
以下に添付図面を参照し、本発明の実施の形態にかかる非常用電源装置について説明する。なお、以下に示す実施の形態により本発明が限定されるものではない。
【００１２】
実施の形態１．
図１は、実施の形態１にかかる非常用電源装置の一構成例を示す図である。実施の形態１にかかる非常用電源装置１００は、通常時には系統電源１から電力を供給され、系統電源１の停電時には蓄電池５から負荷１２に電力を供給する構成としており、その主要な構成要素として、逆並列接続されたダイオードを有する２つのスイッチング素子３ａ，３ｂが直列接続された第１のスイッチングアーム３１、同様に逆並列接続されたダイオードを有する２つのスイッチング素子３ｃ，３ｄが直列接続された第２のスイッチングアーム３２、および、同様に逆並列接続されたダイオードを有する２つのスイッチング素子３ｅ，３ｆが直列接続された第３のスイッチングアーム３３が並列接続されて形成された三相インバータモジュール３と、三相インバータモジュール３の正極と負極との間に並列接続された第１のコンデンサ４と、第１のスイッチングアーム３１の各スイッチング素子３ａ，３ｂの接続点と系統電源１の一方端との間に接続された第１のリアクタ２ａと、第２のスイッチングアーム３２の各スイッチング素子３ｃ，３ｄの接続点と系統電源１の他方端との間に接続された第２のリアクタ２ｂと、第３のスイッチングアーム３３の各スイッチング素子３ｅ，３ｆの接続点と蓄電池５の正極との間に接続される第３のリアクタ６と、蓄電池５の正極と負極との間に並列接続される第２のコンデンサ７と、各スイッチング素子３ａ〜３ｆを駆動制御する制御部１０と、系統電源１への接続用の第１の端子部１３と、負荷１２への電力供給用の第２の端子部１４と、第１のリアクタ２ａと系統電源１の一方端との間、および、第２のリアクタ２ｂと系統電源１の他方端との間に接続された２回路の開閉器１７とを備えている。
【００１３】
第１のスイッチングアーム３１、第２のスイッチングアーム３２、第１のリアクタ２ａ、第２のリアクタ２ｂ、および第１のコンデンサ４は、インバータ２００を構成する構成部であり、第１のコンデンサ４、第３のスイッチングアーム３３、第３のリアクタ（リアクタ）６、および第２のコンデンサ７は、昇降圧ＤＣ／ＤＣコンバータ３００を構成する構成部である。
【００１４】
インバータ２００は、通常時、つまり、系統電源１の非停電時において、系統電源１から供給される交流電力を直流電力に変換すると共に、系統電源１の停電時等の非常時において、昇降圧ＤＣ／ＤＣコンバータ３００から供給される直流電力を交流電力に変換する機能を有している。
【００１５】
また、昇降圧ＤＣ／ＤＣコンバータ３００は、通常時、つまり、系統電源１の非停電時において、インバータ２００から供給される直流電力を降圧して蓄電池５に供給して蓄電池５を充電すると共に、系統電源１の停電時等の非常時において、蓄電池５が放電することによって蓄電池５から供給される直流電力を昇圧してインバータ２に供給する機能を有している。
【００１６】
つぎに、実施の形態１にかかる非常用電源装置１００の動作について、図１を参照して説明する。
【００１７】
本実施の形態にかかる非常用電源装置１００では、制御部１０は、通常時、つまり、系統電源１の非停電時において、系統電源１から供給される交流電力を直流電力に変換して蓄電池５を充電する充電動作と、系統電源１の停電時等の非常時において、蓄電池５の放電により得られる直流電力を交流電力に変換して住宅内の電気機器（負荷）１２等へ供給する放電動作とを行う。
【００１８】
本実施の形態の非常用電源装置１００は、系統電源１の停電が長期に亘る非常時において、住宅内の必要最低限の電気機器に電力を供給可能とするものである。系統電源１の停電が長期に亘るような非常時は極稀なケースであり、このような非常時を想定して、住宅内の全ての電気機器に供給する電力を確保するようなシステムを構成すると、非常に高価なシステムになり易い。本実施の形態にかかる非常用電源装置１００では、系統電源１の停電が長期に亘る非常時において、住宅内の必要最低限の電気機器を動作させるために必要な最低限の電力を確保するような構成とし、安価な非常用電源装置を供給することを目的としている。
【００１９】
このため、本実施の形態では、インバータ２００および昇降圧ＤＣ／ＤＣコンバータ３００を構成する各スイッチング素子３ａ〜３ｆを１つの三相インバータモジュール３として形成し、この三相インバータモジュール３を用いて、非常用電源装置１００を構成している。このような三相インバータモジュール３は一般に広く普及しており、各スイッチング素子３ａ〜３ｆを個別の部品で構成するよりも安価に実現可能である。充電動作だけであれば、蓄電池５の両端電位がコンデンサ４の両端電位より低い場合、三相インバータモジュール３を形成する各スイッチング素子３ａ〜３ｆのうち、スイッチング素子３ｅのみをオンオフ制御し、他のスイッチング素子３ａ〜３ｄ，３ｆをオフ制御して各スイッチング素子３ａ〜３ｄ，３ｆのダイオードを利用することで実現可能である。なお、このときには、制御部１０は、開閉器１７を閉制御している。
【００２０】
また、上述した非常時には、蓄電池５の放電動作を行うが、系統電源１から電力が供給可能な正常時においても蓄電池５から住宅内の電気機器に電力供給を行う機能を持たせる場合には、蓄電池５が大型化して高価なシステムになる。
【００２１】
そこで、本実施の形態では、蓄電池５としては、上述したように住宅内の必要最低限の電気機器を動作させるために必要な充電量を有する小型な蓄電池としている。ここで、住宅内の必要最低限の電気機器とは、例えば、住宅内の一部分の電灯、食品保存のための冷蔵庫、暑さや寒さを凌ぐのに必要最低限の扇風機やファンヒータ等を想定している。
【００２２】
上述したような系統電源１の停電が長期に亘る非常時においては、当該住宅を含む周囲一帯への系統電源１からの電力供給が停止した状態となる。このとき、非常用電源装置を設置した住宅のみ全ての電気機器が使用可能な状況は考え難く、上述した住宅内の必要最低限の電気機器の動作に必要な電力量を確保できれば充分と考えられる。
【００２３】
このような観点から、本実施の形態の非常用電源装置１００においては、非常時において住宅内の必要最低限の電気機器に電力供給可能な非常用電源装置を安価に構成するため、一般に広く普及して安価な三相インバータモジュール３を用いて構成している。
【００２４】
また、蓄電池５としては、一般的にリチウムイオン電池を用いられるが、電池セル１個当たり３〜４Ｖ程度のため、直列接続され、高圧化されて使用される。ここで、昇降圧ＤＣ／ＤＣコンバータ３００を有していない構成において、例えば、ＡＣ１００Ｖを出力するためには、コンデンサ４の両端電圧、つまり蓄電池５の両端電圧として少なくとも１４０Ｖ以上、出来れば、１７０〜１９０Ｖの直流電圧が必要となる。例えば、電池セル１個当たり３．７Ｖの電池セルを直列接続して蓄電池５の両端電圧を１７０〜１９０Ｖ確保しようとすると、４７〜５１個のセルを直列接続する必要がある。電池セルが増加すれば、それだけ高価になる。そこで、本実施の形態では、三相インバータモジュール３を形成する各スイッチング素子３ａ〜３ｆのうち、第３のスイッチングアーム３３を構成するスイッチング素子３ｅ，３ｆを用いて昇降圧ＤＣ／ＤＣコンバータ３００を構成し、蓄電池５の放電動作では、この昇降圧ＤＣ／ＤＣコンバータ３００を構成する第３のスイッチングアーム３３の下側のスイッチング素子３ｆをオンオフ制御して昇圧するようにしている。これにより、蓄電池５の低電圧化を図ることができ、低コストなシステムを構築することができる。
【００２５】
このように、非常用電源装置１００に昇圧機能を持たせることにより、蓄電池５の低電圧化を図ることができ、蓄電池５を構成する電池セル数を少なくすることが可能となる。そのため、蓄電池５の出力電圧が１２Ｖ程度のような低電圧であってもよく、安価なシステムを構築することができる。なお、蓄電池５の出力電圧は１２Ｖに限るものではなく、車載用鉛蓄電池が利用可能な１２Ｖや２４Ｖであれば、このような車載用鉛蓄電池等も利用することができるので、より安価な構成とすることができる。
【００２６】
系統電源１から電力を供給している通常時における蓄電池５の充電動作では、制御部１０は、上述したように三相インバータモジュール３を形成する各スイッチング素子３ａ〜３ｆのうち、昇降圧ＤＣ／ＤＣコンバータ３００を構成するスイッチング素子３ｅのみをオンオフ制御し、他のスイッチング素子３ａ〜３ｄ，３ｆをオフ制御する。これにより、インバータ２００の各スイッチング素子３ａ〜３ｄのダイオードにより構成されるダイオードブリッジにより系統電源１から供給される交流電力が全波整流されてコンデンサ４に直流電圧が印加され、そのコンデンサ４の両端に印加された直流電圧が蓄電池５の両端電圧と一致するように降圧させる。このときには、制御部１０は、開閉器１７を閉制御している。これにより、低電圧の蓄電池５への充電が実現できる。
【００２７】
一方、系統電源１が停電している非常時における蓄電池５の放電動作では、制御部１０は、上述したように三相インバータモジュール３を形成する各スイッチング素子３ａ〜３ｆのうち、昇降圧ＤＣ／ＤＣコンバータ３００を構成するスイッチング素子３ｆをオンオフ制御して、第１のコンデンサ４の両端電圧を昇圧すると共に、インバータ２００を構成する各スイッチング素子３ａ〜３ｄをオンオフ制御して単相インバータとして動作させ、第１のコンデンサ４に印加された直流電圧を交流電圧に変換する。また、このときには、制御部１０は、開閉器１７を開制御している。これにより、住宅内の必要最低限の電気機器（負荷）１２に交流電力が供給される。なお、この単相インバータとして動作させたインバータ２００から供給可能な単相交流電力としては、例えば、ＡＣ１００Ｖ系を想定している。
【００２８】
系統電源１が停電している非常時において最低限動作させておく必要のある電気機器としては、生命を維持するために必要な機器として、上述したような、例えば、住宅内の一部分の電灯、食品保存のための冷蔵庫、暑さや寒さを凌ぐのに必要最低限の扇風機やファンヒータ等に加え、在宅用の人工呼吸器等の医療機器が考えられる。このような在宅用の人工呼吸器等の医療機器を含め、上述した生命を維持するために必要な機器は、概ねＡＣ１００Ｖ系の単相交流電力で動作する機器が多く、系統電源１が停電している非常時に供給する電力としては、ＡＣ１００Ｖ系の単相交流電力であるのが好ましい。
【００２９】
以上説明したように、実施の形態１の非常用電源装置によれば、一般に広く普及している三相インバータモジュールを用いて、この三相インバータモジュールに含まれる２つのスイッチングアームを用いてインバータを構成し、残る１つのスイッチングアームを用いて昇降圧ＤＣ／ＤＣコンバータを構成し、通常時、つまり、系統電源の非停電時においては、系統電源から供給される交流電力を直流電力に変換し、この直流電力を降圧して蓄電池に供給して蓄電池を充電し、また、系統電源の停電時等の非常時においては、蓄電池が放電することによって蓄電池から供給される直流電力を昇圧し、この直流電力を交流電力に変換して、住宅内の必要最低限の電気機器（負荷）を動作させるために必要な電力を供給する構成としたので、インバータや昇降圧ＤＣ／ＤＣコンバータを構成するスイッチング素子を個別の部品で構成する場合に比べて安価に非常用電源装置を実現することができる。また、昇降圧ＤＣ／ＤＣコンバータにより蓄電池への充電時の電圧値や放電時の電圧値を低電圧化することができるので、蓄電池を構成する電池セル数を減らすことができ、安価なシステムを構築することができる。
【００３０】
実施の形態２．
図２は、実施の形態２にかかる非常用電源装置の具体的な概略構成の一例を示す図である。図２に示す例では、実施の形態２にかかる非常用電源装置１００ａは、実施の形態１において説明した図１に示す構成を筐体１１内に具備し、図１に示す第１の端子部１３に相当する系統電源１への接続用のコンセントプラグ１３ａ、図１に示す第２の端子部１４に相当する住宅内の必要最低限の電気機器（負荷）への電力供給用のコンセント端子口１４ａ，１４ｂ、制御部１０（図１参照）に接続され、制御部１０と共に制御操作手段を構成する操作部１５、および系統電源１が停電している非常時において制御部１０および操作部１５を含む制御操作手段に電力を供給する制御電力供給部１６を備えている。このように構成された非常用電源装置１００ａに蓄電池５を接続することにより、非常用電源として機能する。
【００３１】
つぎに、本実施の形態にかかる非常用電源装置１００ａの具体的な動作例について説明する。通常時、つまり、系統電源の非停電時において、非常用電源装置１００ａに蓄電池５を接続した状態で、コンセントプラグ１３ａを系統電源１の供給口である宅内コンセント端子口（図示せず）に接続し、ユーザーが操作部１５により蓄電池５の充電動作を行うように指示することで充電動作が開始される。
【００３２】
また、系統電源１が停電している非常時には、非常用電源装置１００ａに蓄電池５を接続した状態で、住宅内の必要最低限の電気機器をコンセント端子口１４ａ，１４ｂに接続し、ユーザーが操作部１５により蓄電池５の放電動作を行うように指示することで放電動作が開始される。
【００３３】
操作部１５の操作例としては、ユーザーが操作部１５にて充電か放電かの動作モードを選択し、動作モード選択後に動作開始指示を押下する。操作部１５が例えば液晶パネル等で構成されている場合、通常時には、コンセントプラグ１３ａを宅内コンセント端子口に差し込むことで制御部１０および操作部１５を含む制御操作手段に電力が供給され、ユーザーによる操作が可能となる。系統電源１が停電している非常時には、制御電力供給部１６に装填された乾電池等から制御部１０および操作部１５を含む制御操作手段への電力供給が行われる。
【００３４】
なお、制御電力供給部１６には、乾電池等から制御部１０および操作部１５を含む制御操作手段への電力供給をオンオフするスイッチを具備した構成であってもよいし、蓄電池５から制御部１０および操作部１５を含む制御操作手段に電力供給するように切り替え可能とする切り替えスイッチを具備した構成であってもよい。また、系統電源１が停電している非常時において制御部１０および操作部１５を含む制御操作手段への電力を供給可能な構成であれば、どのような構成であってもよく、この制御電力供給部１６の構成により本発明が限定されるものではない。
【００３５】
このようにして、通常時には、系統電源１からコンセントプラグ１３ａを介して非常用電源装置１００ａに電力が供給され、ユーザーが操作部１５にて充電モードを選択することにより蓄電池５の充電が行われる。また、系統電源１が停電している非常時には、制御部１０および操作部１５に制御電力供給部１６から電力が供給され、ユーザーが操作部１５にて放電モードを選択することにより蓄電池５の放電が行われる。
【００３６】
本実施の形態では、蓄電池５からの電力をコンセントプラグ１３ａから供給せず、コンセントプラグ１３ａとは異なる電力供給用のコンセント端子口１４ａ，１４ｂを設け、コンセントプラグ１３ａ（図１に示す第１の端子部１３に相当）とインバータ２００との間には、蓄電池５の放電時において開制御される開閉器１７（図１参照）を具備し、系統電源１に潮流させない構成としている。このような構成とすることにより、系統連系規程等に対応するために必要な構成部を設ける必要がないため、より安価に非常用電源装置１００ａを構成することが可能となる。また、蓄電池５の放電時にユーザーが感電することを防止することができる。
【００３７】
また、本実施の形態にかかる非常用電源装置１００ａに接続される蓄電池５としては、上述したように生命維持に必要な住宅内の必要最低限の電気機器に電力を供給するため、小容量（例えば、２０Ａｈ以下）、小出力（例えば、２ｋＷｈ以下）のものを想定している。したがって、例えば、蓄電池５が出力可能な電力量を超えた場合には、コンセント端子口１４ａ，１４ｂから電気機器（負荷）への電力供給を停止して、蓄電池５の過負荷を防止する。また、例えば、蓄電池５が出力可能な電力量を超えた場合には、操作部１５に警告表示を行うようにすれば、ユーザーがコンセント端子口１４ａ，１４ｂに接続する電気機器数を減らして電力消費量を低減する等の処置を行うことができる。
【００３８】
なお、図２に示す例では、図１に示す第２の端子部１４に相当する２つのコンセント端子口１４ａ，１４ｂを具備した構成を図示しているが、１つあるいは３つ以上コンセント端子口を具備した構成であってもよく、２以上のコンセント端子口を設けた場合には、蓄電池５が出力可能な電力量に応じて、蓄電池５から供給する電力を出力するコンセント端子口を減らすような構成としてもよい。
【００３９】
本実施の形態にかかる非常用電源装置１００ａでは、系統電源１の停電時等の非常時には、蓄電池５に充電された電力を利用して、住宅内の必要最低限の電気機器（負荷）を動作させるように構成しており、通常時、つまり、系統電源１の非停電時には、蓄電池５に充電された電力を利用しない。このため、通常時において蓄電池５の充電動作を行っていない場合には、三相インバータモジュール３や第１および第２のリアクタ２ａ，２ｂ、第３のリアクタ６等での損失が発生しない。
【００４０】
また、蓄電池５として、電動アシスト自転車や電動バイク、あるいは電動自転車等の電動二輪車用の蓄電池を用いることで、蓄電池５に蓄えた電力を機械力として利用するため、非常用電源装置１００ａを含めたトータルでのロスが少ないシステムを構成することができる。このような電動二輪車用の蓄電池を用いることで、非常用電源装置１００ａの導入に対するトータルコストを下げることができ、広く一般消費者に普及可能となることが想定できる。
【００４１】
さらに、蓄電池５としては、携帯電話やモバイルパソコン端末を対象とした外付けバッテリーパックや、コードレス掃除機等の電源コードを使用しないコードレス機器や携帯機器などの蓄電池を用いることも可能である。
【００４２】
図３は、電動アシスト自転車を自家発電機として使用して実施の形態２にかかる非常用電源装置に電力を供給する例を示す図である。図３に示すように、電動アシスト自転車２０を自家発電機として使用し、電動アシスト自転車２０に搭載した蓄電池５からケーブル２１を介して非常用電源装置１００ａに電力を供給し、コンセント端子口１４ａ，１４ｂから生命維持に必要な電気機器に電力を供給するようにしてもよい。このようにすれば、ユーザーが電動アシスト自転車２０を扱ぐことで発電した電力を供給可能なシステムを構築することができる。
【００４３】
このようなシステムを構築する上においても、本実施の形態にかかる非常用電源装置１００ａでは、上述したように、蓄電池５からの電力をコンセントプラグ１３ａから供給せず、コンセントプラグ１３ａとは異なる電力供給用のコンセント端子口１４ａ，１４ｂを設け、コンセントプラグ１３ａ（図１に示す第１の端子部１３に相当）とインバータ２００との間には、蓄電池５の放電時において開制御される開閉器１７（図１参照）を具備し、系統電源１に潮流させない構成としているため、自家発電の認証を取る必要がなく、より安価なシステムを構築することができる。また、電動アシスト自転車２０に搭載された蓄電池５と本体１１とを接続せず、電動アシスト自転車２０を自家発電機として使用して発電した電力を蓄電池５に蓄え、その蓄電池５を電動アシスト自転車２０から外して非常用電源装置１００ａに取り付ける構成としてもよいことは言うまでもない。このような構成であれば、図２に示した構成に対して、ケーブル２１を接続するための端子を設ける等の変更をすることなく実現可能である。
【００４４】
以上説明したように、実施の形態２の非常用電源装置によれば、蓄電池から供給される電力をコンセントプラグ（第１の端子部）から供給せず、コンセントプラグ（第１の端子部）とは異なる電力供給用のコンセント端子口（第２の端子部）を設け、コンセントプラグ（第１の端子部）とインバータとの間に、蓄電池の放電時において開制御される開閉器を具備し、蓄電池から供給される電力を系統電源に潮流させない構成としたので、系統連系規程等に対応するために必要な構成部を設ける必要がないため、より安価な構成とすることができる。また、蓄電池の放電時にユーザーが感電することを防止することができる。
【００４５】
また、蓄電池が出力可能な電力量を超えた場合には、コンセント端子口（第２の端子部）から電気機器（負荷）への電力供給を停止することにより、蓄電池の過負荷を防止することができる。
【００４６】
また、制御部および操作部を含む制御操作手段への電力は、蓄電池、あるいは乾電池等を装填した制御電力供給部から供給することにより、系統電源が停電している非常時においても、制御部および操作部を含む制御操作手段への電力供給が可能となる。
【００４７】
また、電動アシスト自転車や電動バイク、あるいは電動自転車等の電動二輪車と蓄電池を共用可能とすることにより、非常用電源装置の導入に対するトータルコストを下げることができる。
【００４８】
さらに、電動アシスト自転車を自家発電機として使用し、電動アシスト自転車に搭載された蓄電池と非常用電源装置とをケーブルで接続することにより、ユーザーが電動アシスト自転車を扱ぐことで発電した電力を供給可能なシステムを構築することができる。
【００４９】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【産業上の利用可能性】
【００５０】
以上のように、本発明は、停電時において住宅内の必要最低限の電気機器（負荷）を動作させるための電力量を供給可能な非常用電源装置として有用であり、特に、安価で一般に広く普及可能な非常用電源装置として好適である。
【符号の説明】
【００５１】
１  系統電源、２ａ  第１のリアクタ、２ｂ  第２のリアクタ、３  三相インバータモジュール、３ａ〜３ｆ  スイッチング素子、４  第１のコンデンサ、５  蓄電池、６  第３のリアクタ（リアクタ）、７  第２のコンデンサ、１０  制御部（制御操作手段）、１１  筐体、１２  負荷（電気機器）、１３  第１の端子部、１３ａ  コンセントプラグ、１４  第２の端子部、１４ａ，１４ｂ  コンセント端子口、１５  操作部（制御操作手段）、１６  制御電力供給部、１７  開閉器、２０  電動アシスト自転車、２１  ケーブル、３１  第１のスイッチングアーム、３２  第２のスイッチングアーム、３３  第３のスイッチングアーム、１００，１００ａ  非常用電源装置、２００  インバータ、３００  昇降圧ＤＣ／ＤＣコンバータ。
【図１】
2015027135.tif 000003
【図２】
2015027135.tif 000004
【図３】
2015027135.tif 000005